(57)【要約】【課題】乗物用シートのトリムカバーの高伸張性表皮材と低伸張性表皮材との接合部における伸張特性を緩やかに変化させ、着座者が覚える違和感を十分に軽減する。【解決手段】乗物用シート１のトリムカバー７は、互いに接合される高伸張性表皮材１０と、低伸張性表皮材１１とを含み、高伸張性表皮材１０の縁部と低伸張性表皮材１１の縁部との接合部１２は、高伸張性表皮材１０の縁部に設けられている複数の高伸張性突部１３と、低伸張性表皮材１１の縁部に設けられている複数の低伸張性突部１４と、を有し、複数の高伸張性突部１３と、複数の低伸張性突部１４とは、先鋭なテーパ状にそれぞれ形成され、接合部１２の延在方向に交互に配置されており、接合部１２の延在方向に隣り合う高伸張性突部１３と低伸張性突部１４との間の境界線ＢＬの少なくとも一部は、高伸張性突部１３及び低伸張性突部１４それぞれの先端を結ぶ線分ＳＬを低伸張性突部１４側に越えている。【選択図】図３
2019209877.tif 000002
【特許請求の範囲】
【請求項１】
複数の表皮材が接合されてなるシート用トリムカバーであって、
前記複数の表皮材は、高伸張性表皮材と、低伸張性表皮材とを含み、
前記高伸張性表皮材の縁部と、前記低伸張性表皮材の縁部とは、互いに接合されており、
前記高伸張性表皮材の縁部と前記低伸張性表皮材の縁部との接合部は、前記高伸張性表皮材の縁部に設けられている複数の高伸張性突部と、前記低伸張性表皮材の縁部に設けられている複数の低伸張性突部と、を有し、
前記複数の高伸張性突部と、前記複数の低伸張性突部とは、先鋭なテーパ状にそれぞれ形成され、前記接合部の延在方向に交互に配置されており、
前記接合部の延在方向に隣り合う前記高伸張性突部と前記低伸張性突部との間の境界線の少なくとも一部は、前記高伸張性突部及び前記低伸張性突部それぞれの先端を結ぶ線分を前記低伸張性突部側に越えているトリムカバー。
【請求項２】
請求項１記載のトリムカバーであって、
前記境界線は、円弧状であるトリムカバー。
【請求項３】
請求項１又は２記載のトリムカバーであって、
前記接合部の延在方向に隣り合う前記高伸張性突部及び前記低伸張性突部それぞれの先端を結ぶ線分と、前記接合部の延在方向との交角は、２２．５°以上であるトリムカバー。
【請求項４】
請求項１から３のいずれか一項記載のトリムカバーであって、
前記高伸張性表皮材の伸張率と前記低伸張性表皮材の伸張率との差は、２０％以上であるトリムカバー。
【請求項５】
請求項１から４のいずれか一項記載のトリムカバーであって、
前記高伸張性突部及び前記低伸張性突部それぞれの突出長さは、５０ｍｍ以上であるトリムカバー。
【請求項６】
請求項１から５のいずれか一項記載のトリムカバーと、
前記トリムカバーによって覆われるクッションパッドと、
を備えた乗物用シート。
【発明の詳細な説明】
【技術分野】
【０００１】
本発明は、トリムカバー及び乗物用シートに関する。
【背景技術】
【０００２】
自動車等の乗物に搭載される乗物用シートのトリムカバーとして、トリムカバーの機能性を向上させるため、伸張性を部分的に異ならせたトリムカバーが知られている。しかし、この種のトリムカバーは、高伸張性表皮材と、低伸張性表皮材とを有し、高伸張性表皮材と低伸張性表皮材との接合部で伸張性が急激に変化する。このため、乗物用シートに着座した乗員が違和感を覚える場合がある。
【０００３】
特許文献１に記載されたトリムカバーでは、高伸張性表皮材と低伸張性表皮材との接合部の伸張性を緩やかに変化させるべく、複数の三角形状の突出部が高伸張性材料及び低伸張性材料のそれぞれに設けられ、両材料の接合部において、高伸張性材料の突出部と低伸張性材料の突出部とが交互に配置されている。
【先行技術文献】
【特許文献】
【０００４】
【特許文献１】特開２０１７−２０６０８９号公報
【発明の概要】
【発明が解決しようとする課題】
【０００５】
特許文献１に記載されたトリムカバーによれば、高伸張性表皮材と低伸張性表皮材との接合部の伸張性の変化が多少は緩やかになるが、着座者が覚える違和感を十分に軽減するには至らず、改善の余地があった。
【０００６】
本発明は、上述した事情に鑑みなされたものであり、乗物用シートのトリムカバーの高伸張性表皮材と低伸張性表皮材との接合部の伸張性を緩やかに変化させ、着座者が覚える違和感を十分に軽減することを目的とする。
【課題を解決するための手段】
【０００７】
本発明の一態様のトリムカバーは、複数の表皮材が接合されてなるシート用トリムカバーであって、前記複数の表皮材は、高伸張性表皮材と、低伸張性表皮材とを含み、前記高伸張性表皮材の縁部と、前記低伸張性表皮材の縁部とは、互いに接合されており、前記高伸張性表皮材の縁部と前記低伸張性表皮材の縁部との接合部は、前記高伸張性表皮材の縁部に設けられている複数の高伸張性突部と、前記低伸張性表皮材の縁部に設けられている複数の低伸張性突部と、を有し、前記複数の高伸張性突部と、前記複数の低伸張性突部とは、先鋭なテーパ状にそれぞれ形成され、前記接合部の延在方向に交互に配置されており、前記接合部の延在方向に隣り合う前記高伸張性突部と前記低伸張性突部との間の境界線の少なくとも一部は、前記高伸張性突部及び前記低伸張性突部それぞれの先端を結ぶ線分を前記低伸張性突部側に越えている。
【０００８】
また、本発明の一態様の乗物用シートは、前記トリムカバーと、前記トリムカバーによって覆われるクッションパッドと、を備える。
【発明の効果】
【０００９】
本発明によれば、乗物用シートのトリムカバーの高伸張性表皮材と低伸張性表皮材との接合部の伸張性を緩やかに変化させ、着座者が覚える違和感を十分に軽減することができる。
【図面の簡単な説明】
【００１０】
【図１】本発明の実施形態を説明するための、乗物用シートの一例の斜視図である。
【図２】図１の乗物用シートのシートバックのトリムカバーの正面図である。
【図３】図２のトリムカバーの破線枠IIIで囲まれた部分の拡大図である。
【図４】伸張率の測定方法を示す模式図である。
【図５】実験例１のトリムカバーの高伸張性表皮材と低伸張性表皮材との接合部の正面図である。
【図６】実験例２のトリムカバーの高伸張性表皮材と低伸張性表皮材との接合部の正面図である。
【図７】実験例１のトリムカバーの接合部の伸張特性を示すグラフである。
【図８】実験例２のトリムカバーの接合部の伸張特性を示すグラフである。
【図９】（Ａ）〜（Ｅ）は、参考例の表皮材の構成を示す模式図である。
【図１０】実験例３のトリムカバーの接合部の伸張特性を示すグラフである。
【図１１】実験例４のトリムカバー及び実験例５のトリムカバーそれぞれの接合部の伸張特性を示すグラフである。
【発明を実施するための形態】
【００１１】
図１は、本発明の実施形態を説明するための乗物用シートの一例を示し、図２は、図１の乗物用シートのシートバックのトリムカバーを示す。
【００１２】
乗物用シート１は、例えば自動車等の車両に設置されるシートであり、シート１に着座した乗員（以下、着座者という）の臀部及び大腿部を支持するシートクッション２と、着座者の腰部及び背部を支持するシートバック３とを備える。
【００１３】
シートクッション２は、シートクッション２の骨格をなす金属製のフレーム（不図示）を備える。フレームは、ウレタンフォーム等の比較的軟質な樹脂発泡材からなるクッションパッド４によって被覆されており、クッションパッドはトリムカバー５によって被覆されている。
【００１４】
シートバック３もまた、シートバック３の骨格をなす金属製のフレーム（不図示）を備える。フレームは、ウレタンフォーム等の比較的軟質な樹脂発泡材からなるクッションパッド６によって被覆されており、クッションパッドはトリムカバー７によって被覆されている。
【００１５】
シートクッション２のトリムカバー５、及びシートバック３のトリムカバー７は、複数の表皮材が接合されてなり、表皮材には、例えば皮革（天然皮革、合成皮革）、布（ニット、織布、不織布）等が用いられる。表皮材は、皮革又は布の単層構造であってもよいし、皮革又は布を表地として、皮革又は布にワディング（例えば弾性変形可能な軟質ポリウレタンフォームなどの樹脂発泡体）が積層された多層構造であってもよい。
【００１６】
シートバック３のトリムカバー７は、部位に応じて異なる複数種の表皮材によって形成されており、伸張率が相対的に高い高伸張性表皮材と、伸張が相対的に低い低伸張性表皮材とを含む。図１及び２に示す例では、高伸張性表皮材１０が、シートバック３のシート幅方向の中央部においてシート上下方向に延びるセンターサポートのシート上側部分に配置されており、低伸張性表皮材１１が、センターサポートのシート下側部分に配置されている。
【００１７】
なお、トリムカバー７における高伸張性表皮材及び低伸張性表皮材の配置は、図１及び図２に示す例に限定されない。例えば高伸張性表皮材がセンターサポートに配置され、低伸張性表皮材が、サイドサポートに配置されてもよい。また、高伸張性表皮材がセンターサポートのシート上下方向の中央部分に配置され、低伸張性表皮材がセンササポートのシート上側部分及びシート下側部分に配置されてもよい。また、シートバック３のトリムカバー７に替えて、又はシートバック３のトリムカバー７に加えて、シートクッション２のトリムカバー５が、高伸張性表皮材と、低伸張性表皮材とを含んでもよい。
【００１８】
図３は、シートバック３のトリムカバー７における高伸張性表皮材１０と低伸張性表皮材１１との接合部を拡大して示す。
【００１９】
高伸張性表皮材１０と低伸張性表皮材１１とはシート上下方向に隣設されており、高伸張性表皮材１０の下側縁部と低伸張性表皮材１１の上側縁部とは互いに接合されている。高伸張性表皮材１０と低伸張性表皮材１１とは、例えば縫合、接着等によって接合される。また、高伸張性表皮材１０及び低伸張性表皮材１１がいずれもニットである場合には、高伸張性表皮材１０と低伸張性表皮材１１とは編み込みによって接合されてもよく、編み込みによって接合される場合に、高伸張性表皮材１０と低伸張性表皮材１１とは、一枚のニット生地によって構成され得る。
【００２０】
高伸張性表皮材１０と低伸張性表皮材１１との接合部１２は、シート幅方向に延びており、この接合部１２は、高伸張性表皮材１０の下側縁部に設けられている複数の高伸張性突部１３と、低伸張性表皮材１１の上側縁部に設けられている複数の低伸張性突部１４とを有する。
【００２１】
高伸張性突部１３はシート下方に突出しており、低伸張性突部１４はシート上方に突出しており、先鋭なテーパ状にそれぞれ形成されている。そして、高伸張性突部１３と低伸張性突部１４とが接合部１２の延在方向に交互に配置され、複数の高伸張性突部１３と複数の低伸張性突部１４とが互いに噛み合うように、高伸張性表皮材１０と低伸張性表皮材１１とは接合されている。
【００２２】
そして、接合部１２の延在方向に隣り合う二つの高伸張性突部１３及び低伸張性突部１４それぞれの先端部を結ぶ線分をＳＬとして、これら二つの高伸張性突部１３と低伸張性突部１４との間の境界線ＢＬの少なくとも一部は、線分ＳＬを低伸張性突部１４側に越える。本例では、境界線ＢＬが円弧状に形成されており、境界線ＢＬの全体が線分ＳＬを低伸張性突部１４側に越え、且つ境界線ＢＬの中央部が線分ＳＬから最も離れている。
【００２３】
以上のように構成された接合部１２において、接合部１２の延在方向に延びるライン上の高伸張性突部１３と低伸張性突部１４との比率は、接合部１２のシート上側では高伸張性突部１３の比率が相対的に大きく、接合部１２のシート下側では低伸張性突部１４の比率が相対的に大きくなっており、シート上下方向に連続的に変化している。したがって、接合部１２の伸張性が、高伸張性表皮材１０と低伸張性表皮材１１との並び方向であるシート上下方向に連続的に変化する。
【００２４】
そして、複数の高伸張性突部１３及び複数の低伸張性突部１４がいずれも三角形状に形成され、隣り合う二つの高伸張性突部１３と低伸張性突部１４との間の境界線ＢＬが線分ＳＬに沿って直線状に形成される場合に比べて、境界線ＢＬの少なくとも一部が線分ＳＬを低伸張性突部１４側に越えていることにより、接合部１２の伸張性の変化が緩やかとなる。これにより、着座者が覚える違和感を十分に軽減することができる。
【００２５】
好ましくは、図３に示す例のように、隣り合う二つの高伸張性突部１３と低伸張性突部１４との間の境界線ＢＬは円弧状に形成され、境界線ＢＬの中央部が線分ＳＬから最も離される。これにより、接合部１２の伸張性の変化を一層緩やかにできる。
【００２６】
また、好ましくは、隣り合う二つの高伸張性突部１３及び低伸張性突部１４それぞれの先端を結ぶ線分ＳＬと接合部１２の延在方向との交角θは、２２．５°以上である。交角θを２２．５°以上とすることにより、接合部１２の伸張性の変化を一層緩やかにできる。
【００２７】
また、好ましくは、高伸張性突部１３及び低伸張性突部１４それぞれの突出長さ、換言すれば接合部１２の幅Ｗは、５０ｍｍ以上である。接合部１２の幅Ｗが５０ｍｍ以上ある場合に、接合部１２の伸張性の変化を緩やかにする作用効果が顕著となる。
【００２８】
また、好ましくは、高伸張性表皮材１０の伸張率と低伸張性表皮材１１の伸張率との差は、２０％以上である。伸張率の差が２０％以上ある場合に、接合部１２の伸張性の変化を緩やかにする作用効果が顕著となる。なお、伸張率は、図４に示すように、測定対象の表皮材において接合部１２の延在方向に対応する方向に２５０ｍｍ離れた二点Ｐａ，Ｐｂのうち、一方の点Ｐａを固定し、他方の点Ｐｂを５０Ｎの力で引っ張った際の二点間Ｐａ−Ｐｂの伸張率とする。
【００２９】
以下、実験例に基づき、本発明の作用効果についてさらに説明する。
【００３０】
まず、接合部１２の延在方向に隣り合う二つの高伸張性突部１３と低伸張性突部１４との間の境界線ＢＬの形状と、接合部１２の伸張性の変化との関係を評価した。
【００３１】
図５に示す実験例１のトリムカバーでは、高伸張性表皮材１０の複数の高伸張性突部１３及び低伸張性表皮材１１の複数の伸張性突部１４がいずれも三角形状に形成され、隣り合う二つの高伸張性突部１３と低伸張性突部１４との間の境界線ＢＬが、これら二つの高伸張性突部１３及び低伸張性突部１４それぞれの先端を結ぶ線分ＳＬに沿って直線状に形成されている。一方、図６に示す実験例２のトリムカバーでは、境界線ＢＬが円弧状に形成されており、境界線ＢＬの中央部が線分ＳＬを低伸張性突部１４側に越え且つ線分ＳＬから最も離している。接合部１２の幅Ｗは、いずれも１００ｍｍである。
【００３２】
そして、図５及び図６に示すように、接合部１２の延在方向に延びる５本の測定ラインＬ１〜Ｌ５を、接合部１２の延在方向に対して垂直な方向に２５ｍｍ間隔で設定し、各測定ライン上に２５０ｍｍ離れた二点Ｐａ，Ｐｂを設定し、図４に示した測定方法と同様にして伸張率を測定し、接合部１２の伸張性の変化を評価した。なお、第１測定ラインＬ１が、接合部１２の最も高伸張性表皮材１０側に配置されているものとし、第５測定ラインＬ５が、接合部１２の最も低伸張性表皮材１１側に配置されているものとする。
【００３３】
図７は、図５に示した実験例１のトリムカバーの接合部１２の伸張特性を示し、図８は、図６に示した実験例２のトリムカバーの接合部１２の伸張特性を示す。図７及び図８に示すグラフは、測定ラインＬｉ（ｉ＝１〜５）における伸張率をプロットしたものである。
【００３４】
実験例１のトリムカバー及び実験例２のトリムカバーに共通して、高伸張性表皮材１０側の第１測定ラインＬ１から低伸張性表皮材１１側の第５測定ラインＬ５に向けて、伸張率が次第に低下している。しかし、図７に示すように、実験例１のトリムカバーでは、測定ラインＬｉ（ｉ＝１〜５）における伸張率を順に結んでなる特性線が、中央の第３測定ラインＬ３において比較的大きく屈曲している。これに対し、図８に示すように、実験例２のトリムカバーでは、測定ラインＬｉ（ｉ＝１〜５）における伸張率を順に結んでなる特性線が全体的に直線状であり、接合部１２の伸張性の変化が緩やかであることが分かる。
【００３５】
次に、接合部１２の延在方向に隣り合う二つの高伸張性突部１３及び低伸張性突部１４それぞれの先端を結ぶ線分ＳＬと接合部１２の延在方向との交角θ（図３参照）と、接合部１２の伸張性との関係を評価した。
【００３６】
本評価では、参考例としての単一種の表皮材を用いた。図９（Ａ）に示す参考例１の表皮材には、ステッチが形成されておらず、この表皮材の二点間Ｐａ−Ｐｂの伸張率を基準とした。図９（Ｂ）に示す参考例２の表皮材では、ステッチＳが、二点Ｐａ，Ｐｂを通り、直線状に形成されている。図９（Ｃ）に示す参考例３の表皮材、図９（Ｄ）に示す参考例４の表皮材、及び図９（Ｅ）に示す参考例５の表皮材では、ステッチＳが、二点Ｐａ，Ｐｂを通る直線と繰り返し交差するようにジグザグ状に形成されている。そして、参考例３〜５の表皮材では、ステッチＳと二点Ｐａ，Ｐｂを通る直線との交角φが互いに異なり、参考例３の表皮材では交角φは２２．５°に設定され、参考例４の表皮材では交角φは４５°に設定され、参考例５の表皮材では交角φは６７．５°に設定されている。参考例２〜５の表皮材それぞれの二点間Ｐａ−Ｐｂの伸張率を測定した結果を表１に示す。
【００３７】
【表１】
2019209877.tif 000003
【００３８】
ステッチＳを形成する縫合糸は基本的には伸びず、ステッチＳが伸張率の測定方向に沿って直線状に形成されている参考例２の表皮材では、ステッチＳによって表皮材の伸張が抑制されていることが分かる。そして、参考例３〜５の表皮材それぞれの伸張率の測定結果から、ステッチＳと二点Ｐａ，Ｐｂを通る直線との交角φが大きくなるほどに、ステッチＳが表皮材の伸張に及ぼす影響が軽減されていることが分かる。接着剤の固化体も基本的には伸びず、ステッチＳに替えて接着剤が線状に塗布された場合に、接着ラインと二点Ｐａ，Ｐｂを通る直線との交角が大きくなるほどに、接着剤が表皮材の伸張に及ぼす影響は同様に軽減される。
【００３９】
図３に示すトリムカバー７において、高伸張性表皮材１０と低伸張性表皮材１１とが縫合又は接着によって接合される場合に、縫合ライン又は接着ラインは、接合部１２の延在方向に隣り合う二つの高伸張性突部１３と低伸張性突部１４との間の境界線ＢＬ上に設けられ、これら二つの高伸張性突部１３及び低伸張性突部１４それぞれの先端部を結ぶ線分ＳＬに略沿って延びる。そして、線分ＳＬは、図９（Ｃ）〜図９（Ｅ）に示した参考例の表皮材のステッチＳに対応し、線分ＳＬと接合部１２の延在方向との交角θは、参考例の表皮材のステッチＳと二点Ｐａ，Ｐｂを通る直線との交角φに対応する。
【００４０】
したがって、境界線ＢＬ上に形成される縫合ライン又は接着ラインが接合部１２の伸張に及ぼす影響と、交角θとの関係は、図９（Ｃ）〜図９（Ｅ）に示した参考例の表皮材のステッチＳが表皮材の伸張に及ぼす影響と、交角φとの関係に準じる。そこで、接合部１２の伸張性を緩やかに変化させる観点から、交角θは、好ましくは２２．５°以上９０°未満であり、より好ましくは４５°以上９０°未満であると言える。
【００４１】
次に、高伸張性表皮材１０の伸張率と低伸張性表皮材１１の伸張率との差と、接合部１２の伸張性との関係を評価した。
【００４２】
本評価では、図５に示した実験例１のトリムカバーと、高伸張性表皮材１０及び低伸張性表皮材１１それぞれの伸張率を除いて実験例１のトリムカバーと同様に構成された実験例３のトリムカバーとを用いた。実験例１のトリムカバーでは、高伸張性表皮材１０の伸張率が３４％であり、低伸張性表皮材１１の伸張率が８％であり、伸張率の差は２６％である。一方、実験例３のトリムカバーでは、高伸張性表皮材１０の伸張率が３４％であり、低伸張性表皮材１１の伸張率が１８％であり、伸張率の差は１６％である。図５に示したとおり、接合部１２の延在方向に延びる５本の測定ラインＬ１〜Ｌ５を、接合部１２の延在方向に対して垂直な方向に２５ｍｍ間隔で設定し、各測定ライン上に２５０ｍｍ離れた二点Ｐａ，Ｐｂを設定し、接合部１２の伸張性の変化を評価した。
【００４３】
実験例１のトリムカバーの接合部１２の伸張特性は図７に示したとおりである。伸張率の差が２６％である実験例１のトリムカバーでは、測定ラインＬｉ（ｉ＝１〜５）における伸張率を順に結んでなる特性線が、中央の第３測定ラインＬ３において比較的大きく屈曲している。この場合に、図６に示した実験例２のトリムカバーのように、隣り合う二つの高伸張性突部１３と低伸張性突部１４との間の境界線ＢＬの少なくとも一部が、これら二つの高伸張性突部１３及び低伸張性突部１４それぞれの先端を結ぶ線分ＳＬを低伸張性突部１４側に越えることにより、特性線が全体的に直線状に変化し、接合部１２の伸張性の変化が緩やかとなる。
【００４４】
図１０は、実験例３のトリムカバーの接合部１２の伸張特性を示す。伸張率の差が１６％である実験例３のトリムカバーでは、測定ラインＬｉ（ｉ＝１〜５）における伸張率を順に結んでなる特性線が、実験例１に比べて直線的であることが分かる。この場合に、境界線ＢＬの少なくとも一部が線分ＳＬを低伸張性突部１４側に越えるように構成されたとしても、接合部１２の伸張性の変化は、実験例１に比べて限定的となる。
【００４５】
以上の結果から、高伸張性表皮材１０の伸張率と低伸張性表皮材１１の伸張率との差が２０％以上ある場合に、境界線ＢＬの少なくとも一部が線分ＳＬを低伸張性突部１４側に越えることの作用効果、すなわち、接合部１２の伸張性の変化が緩やかになる作用効果が顕著となることが分かる。
【００４６】
次に、接合部１２の幅Ｗ（図３参照）と、接合部１２の伸張性の変化との関係を評価した。
【００４７】
本評価では、図５に示した実験例１のトリムカバーと、接合部１２の幅Ｗを除いて実験例１のトリムカバーと同様に構成された実験例４のトリムカバーと、接合部１２の幅Ｗを除いて実験例２のトリムカバーと同様に構成された実験例５のトリムカバーとを用いた。実験例１のトリムカバーでは、接合部１２の幅Ｗは１００ｍｍである。一方、実験例４のトリムカバー及び実験例５のトリムカバーでは、接合部１２の幅Ｗはいずれも５０ｍｍである。図５に示したとおり、実験例１のトリムカバーでは、接合部１２の延在方向に延びる５本の測定ラインＬ１〜Ｌ５を、接合部１２の延在方向に対して垂直な方向に２５ｍｍ間隔で設定し、各測定ライン上に２５０ｍｍ離れた二点Ｐａ，Ｐｂを設定し、接合部１２の伸張性の変化を評価した。また、実験例４のトリムカバー及び実験例５のトリムカバーでは、接合部１２の延在方向に延びる３本の測定ラインＬ１〜Ｌ３を、接合部１２の延在方向に対して垂直な方向に１２．５ｍｍ間隔で設定し、各測定ライン上に２５０ｍｍ離れた二点Ｐａ，Ｐｂを設定し、接合部１２の伸張性の変化を評価した。
【００４８】
実験例１のトリムカバーの接合部１２の伸張特性は図７に示したとおりである。接合部１２の幅Ｗが１００ｍｍである実験例１のトリムカバーでは、測定ラインＬｉ（ｉ＝１〜５）における伸張率を順に結んでなる特性線が、中央の第３測定ラインＬ３において比較的大きく屈曲している。この場合に、図６に示した実験例２のトリムカバーのように、隣り合う二つの高伸張性突部１３と低伸張性突部１４との間の境界線ＢＬの少なくとも一部が、これら二つの高伸張性突部１３及び低伸張性突部１４それぞれの先端を結ぶ線分ＳＬを低伸張性突部１４側に越えることにより、特性線が全体的に直線状に変化し、接合部１２の伸張性の変化が緩やかとなる。
【００４９】
図１１は、実験例４のトリムカバー及び実験例５のトリムカバーそれぞれの接合部１２の伸張特性を示す。接合部１２の幅Ｗが５０ｍｍであり、境界線ＢＬが線分ＳＬに沿って直線状に形成されている実験例４のトリムカバーでは、図１１に破線で示すように、測定ラインＬｉ（ｉ＝１〜３）における伸張率を順に結んでなる特性線が、実験例１と同様に、中央の第２測定ラインＬ２において比較的大きく屈曲している。一方、接合部１２の幅Ｗが５０ｍｍであり、境界線ＢＬが円弧状に形成され、境界線ＢＬの中央部が線分ＳＬを低伸張性突部１４側に越えている実験例５のトリムカバーでは、図１１に実線で示すように、測定ラインＬｉ（ｉ＝１〜３）における伸張率を順に結んでなる特性線が、実験例４に比べて直線的となり、接合部１２の伸張性の変化が緩やかとなっていることが分かる。ただし、実験例４と実験例５との間の接合部１２の伸張性の変化は、実験例１と実験例２との間の接合部１２の伸張性の変化に対して限定的であると言える。
【００５０】
以上の結果から、接合部１２の幅Ｗが５０ｍｍ以上である場合に、境界線ＢＬの少なくとも一部が線分ＳＬを低伸張性突部１４側に越えることの作用効果、すなわち、接合部１２の伸張性の変化が緩やかになる作用効果が顕著となり、より好ましくは、接合部１２の幅Ｗは１００ｍｍ以上であると言える。
【００５１】
以上、自動車等の車両に設置される乗物用シート１を例に本発明を説明したが、乗物用シート１の構成は、船舶や航空機といった車両以外の乗物のシートにも適用可能である。
【００５２】
以上、説明したとおり、本明細書に開示されたトリムカバーは、複数の表皮材が接合されてなるシート用トリムカバーであって、前記複数の表皮材は、高伸張性表皮材と、低伸張性表皮材とを含み、前記高伸張性表皮材の縁部と、前記低伸張性表皮材の縁部とは、互いに接合されており、前記高伸張性表皮材の縁部と前記低伸張性表皮材の縁部との接合部は、前記高伸張性表皮材の縁部に設けられている複数の高伸張性突部と、前記低伸張性表皮材の縁部に設けられている複数の低伸張性突部と、を有し、前記複数の高伸張性突部と、前記複数の低伸張性突部とは、先鋭なテーパ状にそれぞれ形成され、前記接合部の延在方向に交互に配置されており、前記接合部の延在方向に隣り合う前記高伸張性突部と前記低伸張性突部との間の境界線の少なくとも一部は、前記高伸張性突部及び前記低伸張性突部それぞれの先端を結ぶ線分を前記低伸張性突部側に越えている。
【００５３】
また、本明細書に開示されたトリムカバーは、境界線は、円弧状である。
【００５４】
また、本明細書に開示されたトリムカバーは、前記接合部の延在方向に隣り合う前記高伸張性突部及び前記低伸張性突部それぞれの先端を結ぶ線分と、前記接合部の延在方向との交角は、２２．５°以上である。
【００５５】
また、本明細書に開示されたトリムカバーは、前記高伸張性表皮材の伸張率と前記低伸張性表皮材の伸張率との差は、２０％以上である。
【００５６】
また、本明細書に開示されたトリムカバーは、前記高伸張性突部及び前記低伸張性突部それぞれの突出長さは、５０ｍｍ以上である。
【００５７】
また、本明細書に開示された乗物用シートは、前記トリムカバーによって覆われるクッションパッドと、を備える。
【符号の説明】
【００５８】
１  乗物用シート
２  シートクッション
３  シートバック
４  クッションパッド
５  トリムカバー
６  クッションパッド
７  トリムカバー
１０  高伸張性表皮材
１１  低伸張性表皮材
１２  接合部
１３  高伸張性突部
１４  低伸張性突部
ＢＬ  境界線
ＳＬ  線分
θ  交角
【図１】
2019209877.tif 000004
【図２】
2019209877.tif 000005
【図３】
2019209877.tif 000006
【図４】
2019209877.tif 000007
【図５】
2019209877.tif 000008
【図６】
2019209877.tif 000009
【図７】
2019209877.tif 000010
【図８】
2019209877.tif 000011
【図９】
2019209877.tif 000012
【図１０】
2019209877.tif 000013
【図１１】
2019209877.tif 000014